(57)【要約】【課題】カバー体の内側に十分な通気空間を確保して、ゲル状芳香剤の揮散成分を効率良く揮散させると共に、ゲル状芳香剤から分離した水分が容器の外に漏れ出るのを回避できる芳香剤容器を提供する。【解決手段】カバー体揮散開口１６ａ，１６ｂが形成されたカバー体１４の天面部１４ａ及び主側面部１４ｂに、芳香剤揮散開口１５ａ，１５ｂが形成された容器本体１３の天面部１３ａ及び主側面部１３ｂが対向して配置されるように、カバー体１４への芳香剤カートリッジ１１の装着方向Ｘを規制する装着方向規制手段１８と、装着された芳香剤カートリッジ１１の容器本体１３の天面部１３ａ、側面部１３ｂ，１３ｃ，１３ｄ、及び底面部１３ｅと、カバー体１４の天面部１４ａ、側面部１４ｂ，１４ｃ，１４ｄ、及び底面部１４ｅとの間に間隔２０を保持した状態で、カバー体１４の内部に芳香剤カートリッジ１１を位置決めする位置決め保持手段１９とが設けられている。【選択図】図１
2012040254.tif 000002
【特許請求の範囲】
【請求項１】
揮散成分を揮散しつつ水分を分離しながら収縮するゲル状芳香剤を収容した芳香剤カートリッジを、扁平な略六面体形状のカバー体の内部に着脱可能に装着して用いる芳香剤容器であって、
前記芳香剤カートリッジは、天面部及び主側面部に芳香剤揮散開口が形成された、前記カバー体よりも小さな略六面体形状の容器本体の内部に前記ゲル状芳香剤を収容したものとなっており、
前記カバー体は、天面部及び主側面部にカバー体揮散開口が形成されると共に、装着口側面部を蓋部材によって開閉可能に覆ったものとなっており、
且つ前記カバー体揮散開口が形成された前記カバー体の天面部及び主側面部に、前記芳香剤揮散開口が形成された前記容器本体の天面部及び主側面部が対向して配置されるように、前記装着口側面部を介した前記カバー体への前記芳香剤カートリッジの装着方向を規制する装着方向規制手段と、装着された前記芳香剤カートリッジの前記容器本体の天面部、４方の側面部、及び底面部と、前記カバー体の天面部、４方の側面部、及び底面部との間に間隔を保持した状態で、前記カバー体の内部に前記芳香剤カートリッジを位置決めする位置決め保持手段とが、前記カバー体及び前記容器本体に設けられている芳香剤容器。
【請求項２】
前記装着方向規制手段は、前記カバー体の内側面から突出すると共に前記装着口側面部に向けて延設して設けられた装着方向規制凸部と、前記容器本体の周面部に設けられた、前記装着方向規制凸部と対応する部分の縁部から装着方向に沿って延設する装着方向規制凹部とからなり、前記位置決め保持手段は、前記カバー体の内側面の少なくとも２面から突出して設けられた、複数の間隔保持凸部からなる請求項１記載の芳香剤容器。
【請求項３】
前記装着方向規制手段及び前記位置決め保持手段が、前記カバー体に設けられた、前記天面部の内側面から下方に突出して前記装着口側面部に向けて延設する天面部間隔保持凸部と、前記底面部の内側面から上方に突出して前記装着口側面部に向けて延設する側面案内凸部、装着方向規制凸部、及び底上げ凸部と、前記容器本体の前記底面部に設けられた、前記装着方向規制凸部と対応する部分の縁部から装着方向に沿って延設する段差凹部とを含んで構成されている請求項２記載の芳香剤容器。
【請求項４】
前記装着方向規制手段及び前記位置決め保持手段が、前記カバー体に設けられた、前記天面部の内側面から下方に突出して前記装着口側面部に向けて延設する天面部間隔保持凸部と、前記装着口側面部と隣接する一対の側面部のうちの一方に支持される装着方向規制底上げ張出し部及び他方に支持される側面案内張出し部と、前記容器本体の前記底面部に設けられた、前記装着方向規制底上げ張出し部の規制底上げ部と対応する部分の縁部から装着方向に延設する段差凹部とを含んで構成されている請求項２記載の芳香剤容器。
【請求項５】
前記芳香剤カートリッジの前記容器本体の前記天面部及び前記主側面部に形成された芳香剤揮散開口は、使用前は被覆シートによって覆われて閉塞された状態となっおり、使用時に前記被覆シートを取り外してから前記芳香剤カートリッジを前記カバー体に装着する請求項１〜４の何れか１項に記載の芳香剤容器。
【請求項６】
前記天面部を上方に向けて配置した横置きにして、又は前記主側面部を上方に向けて配置した縦置きにして使用する請求項１〜５の何れか１項に記載の芳香剤容器。
【発明の詳細な説明】
【技術分野】
【０００１】
本発明は、芳香剤容器に関し、特に、ゲル状芳香剤を収容した芳香剤カートリッジをカバー体の内部に装着して用いる芳香剤容器に関する。
【背景技術】
【０００２】
芳香剤、消臭剤等の薬剤を吸収した粒状ゲルを収容して、揮散成分を揮散させる容器が種々開発されている（例えば、特許文献１参照）。ゲル状の芳香剤、消臭剤等の薬剤（以下「ゲル状芳香剤」とする）は、一般に揮散成分を揮散しつつ界面活性剤や溶剤等の水分を分離させるものであり、分離した水分が容器の外に漏れ出ないようにする必要がある。このため、ゲル状芳香剤を収容した容器では、揮散開口を容器の上部（天面部）に設けて揮散成分を揮散させるようになっている。
【先行技術文献】
【特許文献】
【０００３】
【特許文献１】特開２００７−１７５３１０号公報
【特許文献２】特開平９−２９９４７０号公報
【発明の概要】
【発明が解決しようとする課題】
【０００４】
一方、ゲル状芳香剤は、揮散成分を揮散しつつ収縮するものでもあることから、例えば時間の経過と共に揮散成分が減少して収縮すると、容器の底部分にゲル状芳香剤が偏在した状態となり、底部分のゲル状芳香剤と容器の上部の揮散開口との間の距離が遠くなることによって、揮散開口からスムーズに揮散成分を揮散させることができなくなる。このため、容器の側面部に揮散開口を設けて、スムーズに揮散成分を揮散できるようにすることが考えられるが（例えば、特許文献２参照）、容器の側面部に揮散開口を形成すると、ゲル状芳香剤から分離した水分が容器を把持した手に付着し易くなる。
【０００５】
ゲル状芳香剤を収容した揮散開口を備える容器の全体を、揮散開口を形成したカバー体に装着して２重構造とすることで、揮散開口を形成した容器の側面部に直接手が触れないようにすることも考えられるが、単に２重構造としただけでは、カバー体の内部での通気が不十分になってさらに大きな開口面積の揮散開口を形成する必要を生じ、却って分離した水分を容器の外に漏れ出させ易くする。また、容器がカバー体によって覆われて容器を直接見るができなくなることから、例えばカバー体を縦置きにすることで容器の揮散開口が形成された側面部を下方に向けた状態として、分離した水分を容器の外に漏れ出させ易くする。
【０００６】
本発明は、カバー体の内側に十分な通気空間を確保してゲル状芳香剤を収容した容器から揮散成分を効率良く揮散させることができると共に、カバー体を縦置きにして使用した場合でも、ゲル状芳香剤から分離した水分が容器の外に漏れ出るのを効果的に回避することのできる芳香剤容器を提供することを目的とする。
【課題を解決するための手段】
【０００７】
本発明は、揮散成分を揮散しつつ水分を分離しながら収縮するゲル状芳香剤を収容した芳香剤カートリッジを、扁平な略六面体形状のカバー体の内部に着脱可能に装着して用いる芳香剤容器であって、前記芳香剤カートリッジは、天面部及び主側面部に芳香剤揮散開口が形成された、前記カバー体よりも小さな略六面体形状の容器本体の内部に前記ゲル状芳香剤を収容したものとなっており、前記カバー体は、天面部及び主側面部にカバー体揮散開口が形成されると共に、装着口側面部を蓋部材によって開閉可能に覆ったものとなっており、且つ前記カバー体揮散開口が形成された前記カバー体の天面部及び主側面部に、前記芳香剤揮散開口が形成された前記容器本体の天面部及び主側面部が対向して配置されるように、前記装着口側面部を介した前記カバー体への前記芳香剤カートリッジの装着方向を規制する装着方向規制手段と、装着された前記芳香剤カートリッジの前記容器本体の天面部、４方の側面部、及び底面部と、前記カバー体の天面部、４方の側面部、及び底面部との間に間隔を保持した状態で、前記カバー体の内部に前記芳香剤カートリッジを位置決めする位置決め保持手段とが、前記カバー体及び前記容器本体に設けられている芳香剤容器を提供することにより、上記目的を達成したものである。
【発明の効果】
【０００８】
本発明の芳香剤容器によれば、カバー体の内側に十分な通気空間を確保してゲル状芳香剤を収容した容器から揮散成分を効率良く揮散させることができると共に、カバー体を縦置きにして使用した場合でも、ゲル状芳香剤から分離した水分が容器の外に漏れ出るのを効果的に回避することができる。
【図面の簡単な説明】
【０００９】
【図１】本発明の好ましい第１実施形態に係る芳香剤容器の分解斜視図である。
【図２】本発明の好ましい第１実施形態に係る芳香剤容器を、芳香剤カートリッジの装着方向後方から見た、蓋部材を取り付ける前の状態の正面図である。
【図３】芳香剤カートリッジの容器本体の上面図である。
【図４】芳香剤カートリッジの容器本体の分解斜視図である。
【図５】（ａ）はカバー体を芳香剤カートリッジの装着方向後方側から見た正面図、（ｂ）は斜視図である。
【図６】本発明の好ましい第２実施形態に係る芳香剤容器のカバー体の、（ａ）は芳香剤カートリッジの装着方向後方側から見た斜視図、（ａ）は芳香剤カートリッジの装着方向前方側から見た透視斜視図である。
【発明を実施するための形態】
【００１０】
本発明の好ましい第１実施形態に係る芳香剤容器１０は、図１に示すように、好ましくは、球形粒状のゲル状芳香剤１２（図４参照）を容器本体１３に多数収容した芳香剤カートリッジ１１と、芳香剤カートリッジ１１が着脱可能に装着されるカバー体１４と、蓋部材１７とからなる。本第１実施形態の芳香剤容器１０は、ゲル状芳香剤１２から揮散される揮散成分を、容器本体１３に設けられた芳香剤揮散開口１５ａ，１５ｂ（図４参照）及びカバー体１４に設けられたカバー体揮散開口１６ａ，１６ｂを介して容器１０の外部に揮散させて芳香作用を発揮させる。また、本第１実施形態の芳香剤容器１０は、横置きにした状態や縦置きにした状態のいずれで使用しても、ゲル状芳香剤１２から揮散される揮散成分を効率良く揮散させると共に、ゲル状芳香剤１２から分離した界面活性剤や溶剤等の水分が容器本体１１から漏れ出るのを防止する機能を備える。
【００１１】
すなわち、本第１実施形態の芳香剤容器１０は、図２〜図５にも示すように、揮散成分を揮散しつつ水分を分離しながら収縮するゲル状芳香剤１２を収容した芳香剤カートリッジ１１を、扁平な略六面体形状のカバー体１４の内部に着脱可能に装着して用いる容器であって、芳香剤カートリッジ１１は、天面部１３ａ及び主側面部１３ｂに芳香剤揮散開口１５ａ，１５ｂが形成された、カバー体１４よりも小さな略六面体形状の容器本体１３の内部にゲル状芳香剤１２を収容したものとなっており、カバー体１４は、天面部１４ａ及び主側面部１４ｂにカバー体揮散開口１６ａ，１６ｂが形成されると共に、装着口側面部１４ｃを蓋部材１７によって開閉可能に覆ったものとなっている。
【００１２】
また、カバー体揮散開口１６ａ，１６ｂが形成されたカバー体１４の天面部１４ａ及び主側面部１４ｂに、芳香剤揮散開口１５ａ，１５ｂが形成された容器本体１３の天面部１３ａ及び主側面部１３ｂが対向して配置されるように、装着口側面部１４ｃを介したカバー体１４への芳香剤カートリッジ１１の装着方向Ｘを規制する装着方向規制手段１８と、装着された芳香剤カートリッジ１１の容器本体１３の天面部１３ａ、４方の側面部１３ｂ，１３ｃ，１３ｄ、及び底面部１３ｅと、カバー体１４の天面部１４ａ、４方の側面部１４ｂ，１４ｃ，１４ｄ、及び底面部１４ｅとの間に間隔２０（図２参照）を保持した状態で、カバー体１４の内部に芳香剤カートリッジ１１を位置決めする位置決め保持手段１９とが、カバー体１４及び容器本体１３に設けられている。
【００１３】
本第１実施形態では、装着方向規制手段１８は、カバー体１４の内側面から突出すると共に装着口側面部１４ｃに向けて延設して設けられた装着方向規制凸部２３と、容器本体１３の周面部に設けられた、装着方向規制凸部２３と対応する部分の縁部から装着方向に沿って延設する装着方向規制凹部２５とからなり、位置決め保持手段１９は、カバー体１４の内側面の少なくとも２面から突出して設けられた、複数の間隔保持凸部２１，２２，２３，２４からなる。
【００１４】
さらに、本第１実施形態では、装着方向規制手段１８及び位置決め保持手段１９が、カバー体１４に設けられた、天面部１４ａの内側面から下方に突出して装着口側面部１４ｃに向けて延設する間隔保持凸部としての天面部間隔保持リブ（天面部間隔保持凸部）２１と、底面部１４ｅの内側面から上方に突出して装着口側面部１４ｃに向けて延設する間隔保持凸部としての側面案内リブ（側面案内凸部）２２、装着方向規制凸部及び間隔保持凸部としての装着方向規制リブ２３、及び間隔保持凸部としての底上げリブ（底上げ凸部）２４と、容器本体１３の底面部１３ｅに設けられた、装着方向規制リブ２３と対応する部分の縁部から装着方向Ｘに沿って延設する装着方向規制凹部としての段差凹部２５とを含んで構成されている。
【００１５】
また、本第１実施形態では、天面部間隔保持リブ２１は、好ましくはカバー体１４の中央部分を挟んだ両側に配置されて一対設けられていると共に、装着方向規制リブ２３と、側面案内リブ２２及び底上げリブ２４とは、好ましくはカバー体１４の中央部分を挟んだ両側に各々配置されて設けられている。
【００１６】
本第１実施形態では、芳香剤カートリッジ１１の容器本体１３は、図３及び図４に示すように、好ましくは合成樹脂製の成形品であって、角部が弧状に面取りされた略正方形の平面形状を有する箱状に形成される。また容器本体１１は、略正方形の底面部１３ｅと、底面部１３ｅの周縁部から上方に連続して立設する４方の側面部１３ｂ，１３ｃ，１３ｄとからなる。これらの側面部１３ｂ，１３ｃ，１３ｄは、角部が弧状に面取りされた容器本体１３の略正方形の平面形状の、当該弧状の角部に沿って立設する湾曲接続部１３ｆを介して一体として接続する。これらの側面部１３ｂ，１３ｃ，１３ｄは、湾曲接続部１３ｆと共に上方に向けて外側にやや傾いた状態で立設しており、これらの上端の周縁リブ１３ｇによって縁取りされた上端開口面を、複数の芳香剤天面揮散開口１５ａが開口形成された合成樹脂製の被覆シート２６で覆うことによって、天面部１３ａが形成される。例えば、ゲル状芳香剤１３を上端開口面から容器本体１３の内部に充填収容した後に、上端開口面を覆って被覆シート２６を、側面部１３ｂ，１３ｃ，１３ｄ及び湾曲接続部１３ｆの上端の周縁リブ１３ｇに貼着支持させて取り付けることで、天面部１３ａには、略均等に分散配置された複数の芳香剤天面揮散開口１５ａが形成される。
【００１７】
天面部１３ａに形成された芳香剤天面揮散開口１５ａは、芳香剤容器１０が使用される前は、例えば被覆シート２６を覆って合成樹脂製の貼着シートを剥離可能に貼り付けておくことで、容易に閉塞しておくことができ、この貼着シートを芳香剤容器１０の使用時に引き剥がすことによって、芳香剤天面揮散開口１５ａを開放する。
【００１８】
また、本第１実施形態では、容器本体１１の４方の側面部１３ｂ，１３ｃ，１３ｄのうちの、装着方向Ｘに配置される一つの側面部を主側面部１３ｂとして、当該主側面部１３ｂに芳香剤側面揮散開口１５ｂが開口形成されている。芳香剤側面揮散開口１５ｂは、カバー体１４の主側面部１４ｂに開口形成されたカバー体側面揮散開口１６ｂと対応する領域内において、複数分散配置されて設けられる。芳香剤側面揮散開口１５ｂもまた、芳香剤容器１０が使用される前は、例えばカバー体側面揮散開口１６ｂと対応する領域内を覆って合成樹脂製の貼着シートを剥離可能に貼り付けておくことで、容易に閉塞しておくことができ、この貼着シートを芳香剤容器１０の使用時に引き剥がすことによって、芳香剤側面揮散開口１５ａを開放する。
【００１９】
さらに、本第１実施形態では、容器本体１１の底面部１３ｅには、装着方向Ｘに沿って延設する段差凹部２５が設けられている。段差凹部２５は、主側面部１３ｂが立設する辺部と、これと隣接する一方の側面部１３ｄが立設する辺部との角部分を切り欠くようにして、底面部１３ｅの縁部から装着方向Ｘに沿って一方の側面部１３ｄの略中央部分まで延設して設けられる。
【００２０】
芳香剤カートリッジ１１を、カバー体１４の装着口側面部１４ｃを介して正しい装着方向Ｘに装着した際に、カバー体１４の装着方向規制リブ２３が、段差凹部２５に挿入される。芳香剤カートリッジ１１を、正しい装着方向Ｘとは異なる方向に装着しようとすると、装着方向規制リブ２３が容器本体１１の側面部１３ｃ，１３ｄに当接することで、カバー体１４への挿入が規制される。すなわち、容器本体１１の段差凹部２５とカバー体１４の装着方向規制リブ２３とは、装着方向規制手段１８として機能する。また、芳香剤カートリッジ１１がカバー体１４の内部に装着された際に、カバー体１４の装着方向規制リブ２３は、容器本体１１の段差凹部２５の段差側壁面２５ａ（図２参照）に当接することが可能になって、後述するカバー体１４の天面部間隔保持リブ２１、側面案内リブ２２、底上げリブ２４と共に、位置決め保持手段１９としても機能する。
【００２１】
本第１実施形態では、カバー体１４は、図１、図２、及び図５に示すように、好ましくは合成樹脂製の成形品であって、蓋部材１７によって開閉可能な中空の扁平な略六面体形状の箱体として形成される。カバー体１４の天面部１４ａには、略均等に分散配置されて複数のカバー体天面揮散開口１６ａが開口形成されている。また、カバー体１４の装着口側面部１４ｃと対向配置される主側面部１４ｂには、これの中央部分に、長円形状のカバー体側面揮散開口１６ｂが開口形成されている。
【００２２】
そして、本第１実施形態では、カバー体１４の天面部１４ａの内側面から下方に突出して、天面部間隔保持リブ２１が設けられている。天面部間隔保持リブ２１は、天面部１４ａの内側面から垂直下方に突出すると共に、天面部１４ａと主側面部１４ｂとの内側角部から装着口側面部１４ｃに向けて、カバー体１４の１／３程度の長さで直線状に延設して設けられる。また、天面部間隔保持リブ２１は、カバー体１４の中央部分を挟んだ両側の、側面部１４ｄの近傍部分に、対称に配置されて一対設けられる。天面部間隔保持リブ２１は、芳香剤カートリッジ１１がカバー体１４の内部に装着された際に、その下端を容器本体１３の周縁リブ１３ｇ及び天面部１３ａに当接させることで、カバー体１４の天面部１４ａと容器本体１３の天面部１３ａとの間に間隔２０を保持する。
【００２３】
また、カバー体１４の底面部１４ｅの内側面から上方に突出して、側面案内リブ２２が設けられている。側面案内リブ２２は、底面部１４ｅの内側面から垂直上方に突出すると共に、底面部１４ｅと主側面部１４ｂとの内側角部から装着口側面部１４ｃに向けて、カバー体１４の１／４程度の長さで直線状に延設して設けられる。また、側面案内リブ２２は、カバー体１４の中央部分を挟んだ一方に、カバー体１４の高さの１／４程度の高さで設けられる。側面案内リブ２２は、芳香剤カートリッジ１１がカバー体１４の内部に装着された際に、これの内側面に容器本体１３の一方の側面部１３ｄを当接させることで、カバー体１４の一方の側面部１４ｄと容器本体１３の一方の側面部１３ｄとの間に間隔２０を保持する。
【００２４】
さらに、カバー体１４の底面部１４ｅの内側面から上方に突出して、装着方向規制リブ２３が設けられている。装着方向規制リブ２３は、底面部１４ｅの内側面から垂直上方に突出すると共に、底面部１４ｅと主側面部１４ｂとの内側角部から装着口側面部１４ｃに向けて、カバー体１４の１／２程度の長さで直線状に延設して設けられる。また、装着方向規制リブ２３は、カバー体１４の中央部分を挟んだ側面案内リブ２２とは反対側に、側面案内リブ２２の高さよりも低く且つカバー体１４の底面部１４ｅの段差凹部２５の高さよりも高い高さで設けられている。さらに、装着方向規制リブ２３の装着口側面部１４ｃ側の先端部分には、カバー体１４の底面部１４ｅの段差凹部２５を乗り上げさせるための、勾配部２３ａ（図５（ｂ）参照）が設けられている。
【００２５】
装着方向規制リブ２３は、上述のように、容器本体１１の段差凹部２５と共に装着方向規制手段１８を構成すると共に、芳香剤カートリッジ１１がカバー体１４の内部に装着された際に、これの内側面に容器本体１３の段差凹部２５の段差側壁面２５ａを当接させることで、カバー体１４の他方の側面部１４ｄと容器本体１３の他方の側面部１３ｄとの間に間隔２０を保持する。また、装着方向規制リブ２３は、これの上端に容器本体１１の段差凹部２５を乗り上げさせることで、後述する底上げリブ２４と共に、カバー体１４の底面部１４ｅと容器本体１３の底面部１３ｅとの間に間隔２０を保持する。
【００２６】
さらにまた、カバー体１４の底面部１４ｅの内側面から上方に突出して、底上げリブ２４が設けられている。底上げリブ２４は、底面部１４ｅの内側面から垂直上方に突出すると共に、底面部１４ｅと主側面部１４ｂとの内側角部から装着口側面部１４ｃに向けて、カバー体１４の１／２程度の長さで直線状に延設して設けられる。また、底上げリブ２４は、カバー体１４の中央部分を挟んだ側面案内リブ２２と同じ側に、装着方向規制リブ２３よりも低い高さで設けられる。さらに、底上げリブ２４の装着口側面部１４ｃ側の先端部分には、カバー体１４の底面部１４ｅを乗り上げさせるための、勾配部２４ａ（図５（ｂ）参照）が設けられている。
【００２７】
そして、本第１実施形態では、これらの天面部間隔保持リブ２１、側面案内リブ２２、装着方向規制リブ２３、及び底上げリブ２４、及び段差凹部２５によって、装着された芳香剤カートリッジ１１の容器本体１３の天面部１３ａ、側面部１３ｂ，１３ｃ，１３ｄ、及び底面部１３ｅと、カバー体１４の天面部１４ａ、側面部１４ｂ，１４ｃ，１４ｄ、及び底面部１４ｅとの間に間隔２０を保持した状態で、カバー体１４の内部に芳香剤カートリッジ１１を位置決めする位置決め保持手段１９が構成されることになる。
【００２８】
本第１実施形態では、カバー体１４の装着口側面部１４ｃを開閉可能に覆う蓋部材１７は、好ましくは合成樹脂製の成形品であって、図１に示すように、カバー体１４の装着口側面部１４ｃと略同様の大きさの横長矩形の正面形状を有している。蓋部材１７には、これの内側面から内側に突出して、装着口側面部１４ｃの開口内周面と同様の外周面形状を備える嵌込み周壁部１７ａが設けられている。嵌込み周壁部１７ａを装着口側面部１４ｃの開口面に嵌め込んで、公知の係合手段によって係合することで、蓋部材１７を用いて装着口側面部１４ｃを着脱可能に閉塞することができる。
【００２９】
また、蓋部材１７には、指入れ穴２８が開口形成されている。この指入れ穴２８に指を入れることで、蓋部材１７の着脱操作を容易に行うことが可能になる。なお、指入れ穴２８には、これの開口周縁部から内側に突出して、開口周壁２８ａを設けておくことが好ましい。指入れ穴２８の開口周縁部から内側に突出して開口周壁２８ａを設けておくことにより、嵌込み周壁部１７ａと開口周壁２８ａとで周囲を囲まれる部分を、液溜り凹部として利用することが可能になる。これによって、例えば蓋部材１７が装着された装着口側面部１４ｃを下方に配置した縦置き状態で、芳香剤容器１０を使用した際に、芳香剤カートリッジ１１の容器本体１３から万が一、ゲル状芳香剤１２から分離した水分が漏れ出ても、漏れ出てた水分を液溜めすることで、カバー体１４の外部に漏れ出るのを効果的に回避することが可能になる。
【００３０】
そして、上述の構成を備える本第１実施形態の芳香剤容器１０を、カバー体１４に芳香剤カートリッジ１１を交換可能に装着して使用するには、芳香剤カートリッジ１１の容器本体１３の天面部１３ａに形成された芳香剤天面揮散開口１５ａや、主側面部１３ｂに形成された芳香剤側面揮散開口１５ｂを覆う貼着シートを引き剥がす。しかる後に、蓋部材１７を取り外した装着口側面部１４ｃを介して、芳香剤カートリッジ１１を、当該装着口側面部１４ｃに容器本体１３の主側面部１３ｂを向けた正しい装着方向Ｘに向けて挿入装着する。これによって、芳香剤カートリッジ１１は、カバー体１４の装着方向規制リブ２３や底上げリブ２４に乗り上げて、天面部間隔保持リブ２１の下端に容器本体１３の天面部１３ａを当接させると共に、側面案内リブ２２や装着方向規制リブ２３によって、左右方向への移動が規制される。
【００３１】
また、芳香剤カートリッジ１１は、カバー体揮散開口１６ａ，１６ｂが形成されたカバー体１４の天面部１４ａ及び主側面部１４ｂに、芳香剤揮散開口１５ａ，１５ｂが形成された容器本体１３の天面部１３ａ及び主側面部１３ｂを対向配置すると共に、装着された芳香剤カートリッジ１１の容器本体１３の天面部１３ａ、４方の側面部１３ｂ，１３ｃ，１３ｄ、及び底面部１３ｅと、カバー体１４の天面部１４ａ、４方の側面部１４ｂ，１４ｃ，１４ｄ、及び底面部１４ｅとの間に間隔２０を保持した状態で、カバー体１４の内部に位置決めされる。これによって、カバー体１４の内側には、芳香剤カートリッジ１１との間に十分な通気空間が確保されて、収容したゲル状芳香剤１２から揮散成分を効率良く揮散させることが可能になる。
【００３２】
さらに、本第１実施形態では、カバー体１４に芳香剤カートリッジ１１を装着した芳香剤容器１０は、カバー体１４が扁平な略六面体形状を有していることから、天面部１３ａ，１４ａを上方に向けて配置した横置き状態で使用できる他、主側面部１３ｂ，１４ｂを上方に向けて配置した縦置き状態で使用することができる。使用者は、カバー体１４を見てカバー体側面揮散開口１６ｂを上方に向けて芳香剤容器１０を縦置きすることになる。本第１実施形態では、装着方向規制手段１８によって芳香剤カートリッジ１１の装着方向Ｘが規制されることで、カバー体１４に形成されたカバー体側面揮散開口１６ｂと芳香剤カートリッジ１１の容器本体１３に形成された芳香剤側面揮散開口１５ｂとが同じ方向を向くことになるので、芳香剤側面揮散開口１５ｂは、必然的に上方に向けて配置されることになる。これによって、カバー体１４を縦置きにして使用した場合でも、ゲル状芳香剤１２から分離した水分が容器１０の外に漏れ出るのを効果的に回避することが可能になる。ここで、容器本体１３の天面部１３ａを覆う被覆シート２６に形成された芳香剤天面揮散開口１５ａのうち、縦置きした状態で最も下側に配置される芳香剤天面揮散開口１５ａよりも下方の部分が、ゲル状芳香剤１２から分離した水分を液溜めする液溜り部として機能することになる。
【００３３】
したがって、本第１実施形態の芳香剤容器１０によれば、カバー体１４の内側に十分な通気空間を確保してゲル状芳香剤１２を収容した芳香剤カートリッジ１１から揮散成分を効率良く揮散させることが可能になると共に、カバー体１４を縦置きにして使用した場合でも、ゲル状芳香剤１２から分離した水分が容器１０の外に漏れ出るのを効果的に回避することが可能になる。
【００３４】
図６（ａ），（ｂ）は、本発明の第２実施形態に係る芳香剤容器のカバー体１４’の要部を示すものである。本第２実施形態によれば、上記第１実施形態のカバー体１４と略同様の構成を有している一方で、装着方向規制手段１８及び位置決め保持手段１９の構成が相違している。すなわち、本第２実施形態では、装着方向規制手段１８及び位置決め保持手段１９は、カバー体１４’に設けられた、天面部１４ａ’の内側面から下方に突出して装着口側面部１４ｃ’に向けて延設する間隔保持凸部としての天面部間隔保持リブ（天面部間隔保持凸部）２１’と、装着口側面部１４ｃ’と隣接する一対の側面部１４ｄ’のうちの一方に支持される装着方向規制凸部及び間隔保持凸部としての装着方向規制底上げプレート（装着方向規制底上げ張出し部）２９、及び他方に支持される間隔保持凸部としての側面案内プレート（側面案内張出し部）３０と、第１実施形態と同様の構成を有する芳香剤カートリッジ１１の容器本体１３の底面部１３ｅに設けられた、装着方向規制底上げプレート２９の張出し規制底上げ部１９ａと対応する部分の縁部から装着方向に延設する装着方向規制凹部としての段差凹部２５とを含んで構成され、天面部間隔保持リブ２１’は、カバー体１４’の中央部分を挟んだ両側に配置されて少なくとも一対設けられている。
【００３５】
本第２実施形態の芳香剤容器によっても、カバー体１４’と芳香剤カートリッジ１１との間に十分な通気空間を確保して、収容したゲル状芳香剤１２から揮散成分を効率良く揮散させることで、上記第１実施形態の芳香剤容器１０と同様の作用効果が奏される。
【００３６】
なお、本発明は上記各実施形態に限定されることなく種々の変更が可能である。例えば、天面部間隔保持リブは、カバー体の中央部分を挟んだ両側に一対設けられる必要は必ずしも無く、１本又は３本以上設けることもできる。また、装着方向規制手段や位置決め保持手段は、上記各実施形態のもの以外にも、カバー体と芳香剤カートリッジとの間に十分な通気空間を確保すことが可能な、その他の種々の構成のものを採用することができる。
状であっても良い。
【符号の説明】
【００３７】
１０  芳香剤容器
１１  芳香剤カートリッジ
１２  ゲル状芳香剤
１３  容器本体
１３ａ  天面部
１３ｂ  主側面部
１３ｅ  底面部
１４，１４’  カバー体
１４ａ，１４ａ’  天面部
１４ｂ  主側面部
１４ｃ，１４ｃ’  装着口側面部
１４ｅ  底面部
１５ａ  芳香剤天面揮散開口
１５ｂ  芳香剤側面揮散開口
１６ａ  カバー体天面揮散開口
１６ｂ  カバー体側面揮散開口
１７  蓋部材
１８  装着方向規制手段
１９  位置決め保持手段
２０  間隔
２１  天面部間隔保持リブ（天面部間隔保持凸部、間隔保持凸部）
２２  側面案内リブ（側面案内凸部、間隔保持凸部）
２３  装着方向規制リブ（装着方向規制凸部及び間隔保持凸部）
２４  底上げリブ（底上げ凸部、間隔保持凸部）
２５  段差凹部（装着方向規制凹部）
２６  被覆シート
２８  指入れ係止穴
２９  装着方向規制底上げプレート（装着方向規制底上げ張出し部、装着方向規制凸部及び間隔保持凸部）
３０  側面案内プレート（側面案内張出し部、間隔保持凸部）
Ｘ    装着方向
【図１】
2012040254.tif 000003
【図２】
2012040254.tif 000004
【図３】
2012040254.tif 000005
【図４】
2012040254.tif 000006
【図５】
2012040254.tif 000007
【図６】
2012040254.tif 000008